(57)【要約】  外部からの飛来物が当っても簡単に傷が付かない構造であり、更には構造が簡単で安定した焦点距離を得ることのできる複焦点レンズを提供する。透明で剛性を有する透明基体２０１と、透明で弾性を有する透明剛弾性体２０７と、前記透明基体２０１と該透明剛弾性体との間に封入した透明流動体２０３と、該透明剛弾性体２０２の形態の変化を誘引させる機構とを備え、透明剛弾性体２０２の形態の変化を誘引させて、透明基体２０１と透明剛弾性体２０２との間に封入した透明流動体２０３で構成するレンズの２様の形態を所定の形状に形成し、２様のいずれの形態においても、所望の特性（正確な光学特性）を得ることができる。
2010095571.tif 000002
【特許請求の範囲】
【請求項１】
透明で剛性を有する透明基体と、
透明で弾性を有する透明剛弾性体と、
前記透明基体と該透明剛弾性体との間に封入した透明流動体と、
該透明剛弾性体の形態の変化を誘引させる機構とを備えていることを特徴とする複焦点レンズ。
【請求項２】
透明で剛性を有する透明基体と、
透明で弾性を有する透明剛弾性体と、
前記透明基体と該透明剛弾性体との間に封入した透明流動体と、
該透明剛弾性体の形態を周期的に変化させる制御機構とを備えていることを特徴とする複焦点レンズ。
【請求項３】
請求項１あるいは請求項２のいずれか一項に記載の複焦点レンズを備えることを特徴とする複焦点眼鏡。
【発明の詳細な説明】
【技術分野】
【０００１】
本発明は、焦点距離を可変可能な複焦点レンズ及びそれを備えた複焦点眼鏡に関し、例えば、視覚における焦点調整能力の低下をまねいている老齢者用の眼鏡や、細かな作業を手元で行うときに用いる拡大眼鏡等に適用して好適な複焦点レンズ及び複焦点レンズを備えた複焦点眼鏡に関する。
【背景技術】
【０００２】
従来、視覚における焦点調整能力が低下した場合、図１１に示すような眼鏡１０を用い、通常の生活をするときのためのレンズ１１と、本を読むためや、裁縫をするなど手元を見るためのレンズ１２とを一体化し、一枚のレンズとして構成し、目の視線の角度でどちらか一方のレンズを用いるようにして、対象物がはっきり見られるようにしている。
言い換えると、数メートル以上の事物や景色などを見る場合は上側に光軸があるレンズを通して見るようにし、数十センチメートルぐらいの事物を見る場合は下側に光軸のあるレンズを通して見るように利用者が上側と下側とを意識して眼球を動かして利用する。【０００３】
しかしながら、利用者は常に上側下側どちらを用いているかを意識しながら利用せざるを得ない。更に、例えば、下側レンズを用いて手元の作業をしている際、中心部の対象物を見ながら周辺の対象物の状態に気配りする場合は、視野角が狭いので、首を振りながら対象物を追う必要があった。そのため、利用者はすぐに疲労してしまうなどの欠点があった。【０００４】
この欠点を克服するための方法として、従来、対象となる物体までの距離に応じて焦点距離を調整できる可変焦点レンズが提案されている。それは、２枚の透明軟弾性体の間に透明な液体またはゲル状の物体で充填させてあり、その液体またはゲル状物質の体積変化をさせて焦点距離を変化させるもの（例えば、特許文献１、２参照）や、透明なゲル状物質を片側を固体レンズとし、片側を透明軟弾性幕で封入して軟弾性幕の変形で焦点距離を変化させるもの（例えば、特許文献３参照）などが提案されている。【０００５】
しかしながら、特許文献１あるいは特許文献２のような構成だと、透明軟弾性体に圧力をかけてレンズ化しようとするもので、設計したとおりのレンズ特性（正確なレンズ特性）が得難い。また、両面とも軟弾性体なので、眼鏡として用いようとした場合、指で触れた場合や物体が飛んできた場合に変形してしまったり、破損したりする可能性が多くなるので、少なくとも外界と接する方の面はガラスやプラスチックなどによる保護用のフードで覆うことが必要となる。その後者の課題を解決したのが、特許文献３であるが、軟弾性体のレンズ形状の制御が難しく所望のレンズ特性が得難いのは同じである。
【先行技術文献】
【特許文献】
【０００６】
【特許文献１】特開２００１−２４９２０２号公報
【特許文献２】特開２００３−１４９０９号公報
【特許文献３】特開２００６−１０６４８８号公報
【発明の概要】
【発明が解決しようとする課題】
【０００７】
一つには外部からの飛来物が当っても簡単に傷が付かない構造とすることであり、二つには構造が簡単で安定した焦点距離を得る複焦点レンズを得ることである。
【課題を解決するための手段】
【０００８】
請求項１に記載の発明は、透明で剛性を有する透明基体と、透明で弾性を有する透明剛弾性体と、前記透明基体と透明剛弾性体との間に封入した透明流動体と、透明剛弾性体の形態の変化を誘引させる制御機構とを備えた複焦点レンズであり、
請求項２に記載の発明は、透明で剛性を有する透明基体と、透明で弾性を有する透明剛弾性体と、前記透明基体と該透明剛弾性体との間に封入した透明流動体と、該透明剛弾性体の形態を周期的に変化させる制御機構とを備えた複焦点レンズであり、
請求項３に記載の発明は、請求項１あるいは請求項２に記載の複焦点レンズを用いた複焦点眼鏡である。
【発明の効果】
【０００９】
請求項１に記載の発明によれば、透明剛弾性体の形態の変化を誘引させて、透明基体と透明剛弾性体との間に封入した透明流動体で構成するレンズの２様の形態を所定の形状に形成しようとするもので、２様のいずれの形態においても、所望の特性（正確な光学特性）を得ることができる。【００１０】
請求項２に記載の発明によれば、透明基体と透明剛弾性体との間に封入した透明流動体で構成するレンズにおいて、透明剛弾性体の形態を周期的に変化させて得られる２様のレンズ形態のいずれにおいても所望の特性（正確な光学特性）を得ることができる。【００１１】
請求項３に記載の発明によれば、請求項１あるいは請求項２のいずれかの複焦点レンズを用いて眼鏡としたもので、視野角の広い正確なレンズ特性によるレンズを用いているため、利用者は異なった位置の対象物を追いかけて凝視するような場合でも、利用者が疲労することなく、利用できる複焦点眼鏡とすることができる。
【図面の簡単な説明】
【００１２】
【図１】本発明の一つの構成要件である透明剛弾性体の動作原理を説明するための図である。
【図２】図１で示した皿状円板の中心部の断面を真横から示した図、及び、力Ｆを加えていった場合の中央部の上下方向の変移を概念として示した図である。
【図３】剛弾性体のうちで透明な弾性体を用いて構成した複焦点レンズの基本的な考え方を説明する図である。
【図４】周縁部での液漏れの対処をする透明弾性体の中央での断面図である。
【図５】透明基体にレンズ効果を持たせたり、透明基体と透明弾性体の曲率を異ならせたりすることにより、様々な焦点距離の組み合わせが可能となる例を示す図である。
【図６】透明弾性体を変化させるための具体例を説明するための図である。
【図７】透明弾性体の周縁部Ｃをスライダに固着させた例を示す図である。
【図８】透明弾性体に電動で力を与える実施例を示す図である。
【図９】駆動コイルを駆動する装置の一例を示す図である。
【図１０】複焦点レンズを用いたヘッドマウント型のルーペへの適用した例を示す図である。
【図１１】従来の複焦点レンズ及び複焦点眼鏡の実施形態を説明するための図である。
【発明を実施するための形態】
【００１３】
＜弾性剛性体の動作原理の説明＞
以下に、本発明の実施の形態について図面を参照しながら説明する。
図１（ａ）、（ｂ）は本発明の一つの構成要件である透明剛弾性体の動作原理を説明するための図である。図１において、１００は剛弾性体の円板で、この剛弾性体の円板１００は、これは半径Ｒ（ここで示す記号の意味は後述する。）の球状の一部分を切り出した直径Ｄ、肉厚ｔの皿状の円板である。この剛弾性体とは剛性がありながら弾力性を持っているもので、透明ではないが鋼材は一般的であり、板バネに用いられているのは良く知られている（これに対してゴムに代表される軟らかな弾性体は軟弾性体と称する）。また、透明な弾性体としては一般的なガラスも弾性限界を超えないように用いればこの剛弾性体に入る。ただ、本発明で用いるためには一般的に言うプラスチック類が使いやすい。その中でもポリ塩化ビニール（ＰＶＣ）、ポリエチレンテレフタレート（ＰＥＴ）やユーポリマー（ユニチカの商標）等が適している。まず、図１（ａ）に示すように、下に凸状に置き、縁１００ａを固定しておいて、皿の中央部１００ｂを矢印のように力Ｆで下から押し上げると皿状の円板１００は徐々に撓みながら上昇し、ある一定量上昇すると、図１（ｂ）に示すように、上に凸の状態に反転する。一度反転すると力Ｆを取り除いてもそのままの形を維持する。また、この状態から力Ｆを反対方向に（上の方から）力を加えていくと、ある一定量下降したところで元の図１（ａ）の状態に戻る。
【００１４】
次に、図２（ａ），（ｂ）を用いて、上記の様子をもう少し詳しく説明する。図２（ａ）は図１（ａ）で示した皿状円板１００の中心部の断面を真横から示した図である。実線で表示した皿の形状は半径Ｒで中空の球状体の一部分を切り出した形状をしており、直径Ｄ、周辺部に対する中央部の膨らみ量Ｔ，肉厚ｔの皿状の円板としてある。その実線で示した皿状の円板１００を下に凸の状態で置き、周縁部分を上から押え、皿の中央部分を下から押し上げる場合を示している（その両方から加える力をＦとする：但し、皿状円板の質量は無視する）。二点鎖線で示した皿の形状は図１（ｂ）に示した皿状円板の状態を中心部の断面を真横から示した図である。図２（ｂ）はこの力を加えていった場合の力Ｆと中央部の上下方向の変移量ｙとの関係を概念として示したものである。すなわち、座標の横軸に印加する力Ｆをとり、縦軸に皿状円板の中央部の変移量ｙをとる。
【００１５】
ここで、皿状円板の最初は自由で力Ｆが一切加わっていない状態（Ｆ＝０）で、中央部の位置はａ点であり、ｙ軸上の−Ｔの位置（ｙ＝−Ｔ）であるとする。そこに図２（ａ）に示すように力Ｆを加えていくと中央部は図２（ｂ）中に（１）に示すように推移する。即ち、縁と同じ位置までは力Ｆに比例的に上昇していき、その縁の位置を僅かに越えた（円板の厚み程度）ｂ点に達すると（２）の軌跡を取りながら一気にｃ点まで上昇して、安定する。この（２）の軌跡の範囲では外部からの力は与えることはなく、皿状円板の内部応力のみで遷移する。この遷移後の安定状態は図２（ａ）に示す初期状態の上向き皿状とは逆の二点鎖線で示す下向き皿状態となっている（図１（ｂ）の形状）。
【００１６】
ここで、皿状円板は最初の状態と同様に自由で力Ｆが一切加わっていない状態（Ｆ＝０）である。この状態の中央部はｃ点にあるが、この中央部に負方向の力Ｆを加えていくと（３）の軌跡をとり縁と同じ位置までは力Ｆに比例的に下降していき、その縁の位置を僅かに越えた（円板の厚み程度）ｄ点で（４）の軌跡を取りながら一気にａ点まで下降して、元の状態に戻り安定する。この（４）の軌跡の範囲では外部からの力は与えることはなく、皿状円板の内部応力のみで遷移するのは（２）の軌跡の範囲の動作と同様である。
このように、この皿状円板の弾性体は二つの安定形状（上に凹の皿状、下に凹の皿状で、どちらもＲの曲率）を持つ。
【００１７】
＜複焦点レンズに摘要した場合の動作原理説明＞
図３は、上記の動作原理で示した剛弾性体（以後、これを単に弾性体と呼称する）のうちで透明な弾性体を用いて構成した複焦点レンズの基本的な考え方を説明する図である。
複焦点レンズ２００は透明で剛性を有する皿状の円板透明基体２０１と、透明で剛弾性を有する皿状の円板透明弾性体２０２を用意し、その凹面部を互いに向い合わせて縁を隙間なく一致させた形として、その間に透明な液体２０３を充填させ封入することによりレンズの機能を生じさせてある。また、透明基体２０１と透明弾性体２０２の縁は、ゴムのような弾性を有していて自動車や自転車のタイヤのように断面が英字のＣ字状で全体が環状に形成してある軟弾性体２０４でシールしてある。
【００１８】
更に詳細に複焦点レンズ２００の構成を説明する。
透明基体２０１は透明樹脂（アクリルやポリカーボネートなど）あるいは透明ガラスで作ってある（但し、サングラスのような使い方では着色して用いてもよい）。厚みは１ｍｍ程度かそれ以上と比較的厚く（液体２０３に正圧力乃至は負圧力をかけたとき変形しなければどのような厚みでも良い）剛性を保たせる。これ自体レンズとしてもよいが、以後、本発明の本質を説明しやすくするために、厚みを一定とした状態で説明する。また、形状は主要部（レンズとして光を透過させる部分）を均一な厚みで内側がＲの曲率を持つ皿状の円板としてあり、縁は円筒形の突起部２０６を設けて、透明弾性体２０２との間から液体２０３が漏れないようにしてある。具体的な材料としてポリカーボネート（ＰＣ）を用いた場合は、光屈折率は１.５８５となり、光学ガラスのＢＫ７を用いれば、光屈折率は１.５１８となる。
【００１９】
透明弾性体２０２は、やはり、透明樹脂で作ってあるが、透明基体２０１より極めて薄くしてある（アクリルやポリカーボネートなどでは０.１ｍｍ程度とするのがよいが、ＰＥＴや透明な塩化ビニールのような材料を用いる場合は０.２ｍｍあるいはそれ以上にしてもよい。この厚さは絶対的なものではなく、直径Ｄとの関係で決まるものであり、図１乃至は図２で説明した特性が得られる厚さならここで示した値より小さくても大きくてもよい）。均一な厚みで透明基体２０１と同じＲの曲率を持つ皿状の円板としてある。ポリカーボネート（ＰＣ）を用いた場合、光屈折率は１.５８５、アクリルの場合は１.４９となり、ポリエチレンテレフタレート（ＰＥＴ）の光屈折率は１.５７５程度である。
【００２０】
液体２０３は透明液体（水、アルコール、スピンドル油やセダ油など流動性が高い物でも、オイル状の粘性が高い物でも物体が圧力により移動するものなら何でもよい）で、無色でも着色しても光線をある程度透過させるならばかまわない。水を用いた場合の光屈折率は１.３３３となり、エチルアルコールを用いると１.３６２、セダ油を用いると１.５１６となる。
弾性体２０４はゴムのような軟らかな弾性体で、自動車や自転車のタイヤのように断面を英字のＣ形にし、全体をリング状に形成してある。Ｃ形の先端で透明基体２０１と透明弾性体２０２を一定の力で挟み、透明弾性体２０２が凸状態（図４（Ｃ）で実線表示）でも凹状態（図４（Ｃ）で二点鎖線表示）でも透明基体２０１と透明弾性体２０２の位置関係を安定させる。
【００２１】
ここで、図３に示すように、透明弾性体２０２が実線で示す２０２−ａのように下に凸であるときの状態（状態１とする）では、透明基体２０１と透明弾性体２０２、及び、その両者の間に満たされている透明な液体２０３の三者でＲの曲率を持つ両方凸のレンズとなっている。そして、この凸レンズの焦点距離ｆは液体２０３の屈折率をｎとするとｆ＝Ｒ／（２×（ｎ−１））である。
次に、透明弾性体２０２が二点鎖線で示す２０２−ｃのように上に凸である状態（状態２とする）では、透明基体２０１と透明弾性体２０２の間隙は全面のどの部分でも一定となり、透明基体２０１と液体２０３、透明弾性体２０２の３層全体が一体で厚みが一定の曲率Ｒの透明体となるのでレンズの効果はない（すなわち、このときの焦点距離ｆは無限大∞である）。言い換えると、図３において、ＬＬの方向から入った平行光は透明基体２０１、透明弾性体２０２、液体２０３を透過した後も平行光のままである。
【００２２】
なお、透明な液体２０３にセダ油を用い、透明基体２０１に光学ガラスＢＫ７を用いれば、それぞれの光屈折率は１.５程度でほとんど変わらないので、その境界面での反射はほとんど無くなる。また、透明基体２０１にポリカーボネート（ＰＣ）やアクリルを用いてもその反射は非常に小さい。透明弾性体２０２にはポリカーボネート（ＰＣ）あるいは弾性率がより高いポリエチレンテレフタレート（ＰＥＴ）を用いればよいが、この光屈折率も１.５を少し超える程度なので界面での反射は非常に小さい。さらに、透明液体２０３に水やエチルアルコールなど透明基体２０１や透明弾性体２０２の光屈折率と大きな違いのある光屈折率の部材を用いても界面に光反射防止膜を形成することにより、光透過率のよいレンズを構成することが可能である。
【００２３】
次に、このように構成した複焦点レンズの動作（状態１から状態２へと遷移させる、あるいは状態２から状態１へと繊維させる方法）を同じく図３で説明する。
ここで、状態変化を起こさせる力は透明弾性体２０２の中央と周辺に与えて説明する。即ち状態１から状態２へ変化させるには図３に示すように透明基体２０１を固定し、透明弾性体２０２の中央に力Ｆを与え、状態２から状態１へ変化させるにはやはり透明基体２０１を固定し、図のように透明弾性体２０２の周縁部ｚ（リング状）に力Ｆ’を与えた形で説明する。このとき、弾性体２０４の透明基体２０１と透明弾性体２０２に与える力は無視して説明する。
【００２４】
まず、透明弾性体２０２の最初の状態２０２−ａは自由で力Ｆが一切加わっていない状態（Ｆ＝０およびＦ’＝０）である（状態１）。この状態は凸レンズとなっている。この状態から透明基体２０１を固定して、透明弾性体２０２の中央部ａに図示の下側から力Ｆを加えていくと破線で示したほぼ中央の位置２０２−ｂまで変化し（このときの透明弾性体２０２はほぼ平板状態）、それを僅かに越えると、一気に２０２−ｃの状態に変化する。即ち、中央部が縁と同じ位置までは力Ｆに比例的に上昇していき、その縁の位置を僅か（円板の厚み程度）に越えると外部からの力を与えなくても、皿状円板の内部応力のみで２０２−ｃの状態（初期状態の上向き皿状とは逆の二点鎖線で示す下向き皿状態）となる（状態２）。このとき、レンズ効果はない。
【００２５】
次に、皿状円板は最初の状態と同様に自由で力Ｆが一切加わっていない状態（Ｆ＝０およびＦ’＝０）である。この状態で透明弾性体２０２の周縁部ｚに力Ｆ’を加えていくと破線で示した位置２０２−ｂまで変化し（このときの透明弾性体２０２はほぼ平板状態）、それを僅かに越えると、一気に２０２−ａの状態に変化する。即ち、周縁部ｚが中央部と同じ位置までは力Ｆ’に比例的に上昇していき、その中央部の位置を僅か（円板の厚み程度）に越えると外部からの力を与えなくても、皿状円板の内部応力のみで２０２−ａの状態（初期状態の上向きの皿状態（状態１））に戻る。このとき、凸レンズとなる。
【００２６】
以上の実施例は基本的な考え方をそのまま実現する形であったが、透明液体の漏れは生じないように透明基体と透明弾性体との周縁部での接点において精度よく加工して組み立てる必要がある。また、透明弾性体を何回も凹凸形態の変移を繰り返すうち、磨耗の結果、透明液体が漏れ出す恐れがある。そこで、その周縁部を密閉し、長時間使用しても液体漏れの生じない実施例を図４に示す。
【００２７】
図４（ａ），（ｂ）は周縁部での液漏れの対処をする透明弾性体３０２の図であり、これはその透明弾性体３０２の中央での断面図である。図４（ａ）は下に凸の状態を示す図であり、Ａの範囲は図３に示した２０２に相当する。Ｃの範囲の詳細説明は後述するが、このＣの部分は透明基体と固着する（接着したり、融接したり、押さえ込んだりする）部分である。Ｂの範囲は皿状のＡの範囲が凸状から凹状へ、凹状から凸状へと変化する途中で中央部から周縁部ｚへ膨張力が働く際の逃げを与えたり、Ｃの固定されている部分の影響を少なくしてＡ部の周縁部ｚを動き易くしたりするクッション部である。波様の形状はその目的に応じて様々な形状をとる。図４（ｂ）は、図４（ａ）と同じ物を上に凸状態にした場合の形態を示す。ここではＡ・Ｂ・Ｃ各部は一体で示したが、Ａ部よりＢ部を若干薄めにして剛性を変化させたり、Ａ部とＢ・Ｃ部とを別の部材、具体的にはＡ部は剛弾性体とし、Ｂ・Ｃ部は軟弾性体としたりすることにより、より容易に目的を達成できる。
【００２８】
図４（ｃ）は、図３で示した複焦点レンズの透明弾性体に換えて図４（ａ），（ｂ）で説明した透明弾性体を透明基体と固着して透明液体が漏洩しないようにした構成を示す概念図で、この入れ替えた透明弾性体を３０２としてある。
ここで３０１は透明基体で、図３の２０１に対応し、３０３は透明液体で図３の２０３に対応させてあり、透明弾性体３０２を図３の２０２に対応させ、Ａ部は３０２−ａ、３０２−ｂ、３０２−ｃをそれぞれ２０２−ａ、２０２−ｂ、２０２−ｃに対応させて示している。Ｂ部の断面形状はＡ部の周縁部ｚの動きを自由にするために図４（ａ），（ｂ）で示した波様より大きくＳ字状に形成してある。透明弾性体３０２のＣ部は３０４の面で透明基体３０１の周縁部に固着してある。こうして透明基体３０１と透明弾性体３０２は密閉しているので内部に注入されている液体３０３は漏れることがなくなる。
【００２９】
この複焦点レンズ３００は図３で説明した動作と同様の動作をし、図３の複焦点レンズ２００と置き換えることができる。その結果、透明弾性体３０２が３０２−ａの状態の時には凸レンズとして動作し、３０２−ｃの状態の時には全くレンズ効果が無く、平行光は平行光のまま透過する。
【００３０】
＜透明液と透明弾性体周縁部ｚの変位量＞
以上、説明してきた複焦点レンズの透明弾性体の状態変化をさせる力ＦあるいはＦ’を与えた時に周縁部ｚが変位する量を求めてみる（両凸レンズとすると、レンズの片側の厚みと概ね一致する）。
ここで透明液に水、エチルアルコール、セダ油、αブロナフタレン、ジヨードメタンを用いた場合のレンズの主要サイズと共に示す。
【００３１】
【表１】
2010095571.tif 000003
【００３２】
これから分るように割合と扱いやすいセダ油の場合、焦点距離２００ｍｍ、レンズの直径４２ｍｍとした時、正味のレンズの厚みは２.１４ｍｍ程度であり、力を与えて変位させる量は１.０７ｍｍ程度となる。屈折率が大きな液を使えば、更にその変位させる量は小さくすることができる。
【００３３】
＜複焦点レンズのバリエーション＞
以上、透明基体はレンズ効果なしでその曲率は透明弾性体の曲率と同じにしたものを使い、状態１は凸レンズ状態、状態２はレンズ機能が無くなる（焦点距離が無限大）状態の二つの状態が切り替わる複焦点レンズの実施例を示したが、透明基体にレンズ効果を持たせたり、透明基体と透明弾性体の曲率を異ならせたりすることにより、様々な焦点距離の組み合わせが可能となる。そのバリエーションの一部を図５に示す。
【００３４】
図５（ａ）に示す複焦点レンズ３１０は図４（ｃ）に示した複焦点レンズ３００の透明基体以外の形状を同じとし、透明基体３１１を凹レンズとした例である（ただ、透明弾性体３０２のＣ部（図４（ａ）参照）はスペーサリング３１４を介して透明基体３１１と固着している）。こうすると状態１で正の焦点距離を持ち（即ち、凸レンズとなる）、状態２では負の焦点距離を持つ（即ち、凹レンズとなる）複焦点レンズが得られる。
図５（ｂ）での複焦点レンズ３２０は同様に図４（ｃ）の複焦点レンズ３００の透明基体を凸レンズ３２１とした例である。こうすると状態１で正の焦点距離を持ち（即ち、凸レンズとなる）、状態２でも正の焦点距離を持つ（即ち、焦点距離の異なる凸レンズとなる）複焦点レンズが得られる。
【００３５】
図５（ｃ），（ｄ）では図４（ｃ）の複焦点レンズ３００と同様に透明基体３３１の厚みは一定とするが透明基体の球状の半径Ｒ１と透明弾性体の同Ｒ２を不一致とした例である。
図５（ｃ）での複焦点レンズ３３０はＲ１＞Ｒ２とした例であり、状態１で正の焦点距離を持ち（即ち、凸レンズとなる）、状態２では負の焦点距離を持つ（即ち、凹レンズとなる）複焦点レンズが得られる。
図５（ｄ）での複焦点レンズ３４０はＲ１＜Ｒ２とした例であり、状態１で正の焦点距離を持ち（即ち、凸レンズとなる）、状態２でも正の焦点距離を持つ（即ち、焦点距離の異なる凸レンズとなる）複焦点レンズが得られる。
この透明基体のレンズ化と透明基体の半径Ｒ１と透明弾性体Ｒ２を不一致にさせる手段の組み合せはここに示した４例以外でも取りうる。即ち、図５（ａ）、（ｂ）で透明基体の半径Ｒ１と透明弾性体Ｒ２を不一致にさせることにより、状態１と状態２の焦点距離を異ならせることができる。また、図５（ｃ）、（ｄ）で透明基体を凸レンズや凹レンズとすることにより、状態１と状態２の焦点距離を異ならせることができるなどである。
【００３６】
＜焦点距離を変化させる構造＞
図３、図４（ｃ）及び図５で示した複焦点レンズの二つの状態（状態１、状態２）を変化させるための力を与えるＦとＦ’は単体のレンズとして用いる場合は手で与えることもできるが、眼鏡のように何かの装置の一部分に取り付ける場合はいちいち手で力を加えるのは大変である。そこで、電気的な制御で力を与える方法を説明する。
図６（ａ），（ｂ）は図４（ｃ）と同じ構造のレンズに透明基体と透明弾性体に電極を付加して、その電極に電荷を与え、クーロン力で力Ｆ乃至Ｆ’を与えるようにしたものである。図６（ａ）の図は断面図で、図４（ｃ）と同じ方向から見た図で、透明弾性体４０２は図４（ｃ）の二点鎖線で示した状態２の状態のみを示している。透明基体４０１と透明弾性体４０２は４０５の面と４０４の面をスペーサ４０６を介して固着してある。
【００３７】
更には、透明弾性体４０２の透明基体４０１に面した側に透明電極４０７として全面にＩＴＯ薄膜を形成してあり、透明基体４０１の透明弾性体４０２に面した側に透明電極４０８及び４０９がＩＴＯでパターン形成してある。透明電極４０８は周縁部に透明電極４０９は中央部に円形に形成し、それぞれは絶縁されている。またそれぞれには端子Ｔ１とＴ２が形成されている。このような構成で、まず、透明電極４０７にはマイナス、透明電極４０８にプラス、透明電極４０９にマイナスの電位を与えると中央部はマイナスとマイナスの電荷同士なので斥力（−Ｆ）が働き、周縁部はマイナスとプラスの電荷なので引力が働くので、Ｆ’の力を与えるのと同じ効果の力を与えることができる。逆に、透明電極４０７にはマイナスの電位のままとし、透明電極４０８にマイナス、透明電極４０９にプラスの電位を与えると中央部はマイナスとプラスの電荷なので引力（Ｆ）が働き、周縁部はマイナスとマイナスの電荷同士なので斥力が働くので、−Ｆ’の力を与えるのと同じ効果の力を与えることができる。
【００３８】
もう一つの電気制御による駆動方法の実施例として、誘電磁界を与えて吸引力或いは斥力を発生させる方法を説明する。図６（ｃ）は透明基体４０１の透明弾性体４０２に面する側に透明導体でコイル４１５を形成した状態を示している。４１６はコイル４１５の最内部の端から外側に引き出す透明導体形成してある引き出し線である。４１７はその引き出し線４１６とコイル４１５の交差部分を電気的に絶縁する透明膜である。このように構成し、そのコイルの両端に電極Ｕ１、Ｕ２を形成し、電極Ｕ１から電極Ｕ２に電流を流すと中心部で最大となる磁界が紙面に鉛直方向に発生させられる。同様に、透明弾性体４０２の透明基体４０１に面した側にコイル４１５と同形のコイル４２５を形成しておく。引き出し線４２６及び絶縁膜４２７もそれぞれ、４１６、４１７に対応させてある。その一対のコイルに同相の磁界を発生させるよう電流を流せば、中心部が最大となる吸引力Ｆが発生し、逆相の磁界が発生するように電流を流せば、中心部が最大となる排斥力−Ｆが発生する（これを図４（ｃ）のような構成でも、透明基体３０１上のコイル４１５と透明弾性体３０２上のコイル４２５を形成すれば同様の吸引力Ｆ、排斥力−Ｆが発生する）。
【００３９】
更には、この二つの方法を同時に動作させることができるようにすることにより、より一層の力を発生させることができる。
例えば、図４（ｃ）の透明弾性体３０２上に電極４０７の形状をコイル４２５の形状とし、透明基体３０１上には電極４０８の形状はそのままとして、電極４０９にはコイル４１５形状にする（コイル状にする範囲は電極４０９で示した範囲内にコイル４１５のような形状を形成する）。それぞれの電極に電位を与え、その電位がプラスとマイナスならば吸引力となり、プラス同士、マイナス同士の同じなら排斥力が生ずる。このコイル状にした電極４０７とコイル状にした電極４０９それぞれにプラスとマイナスの電位を与えると同時に同相の磁界が発生するようにそれぞれのコイルに電流を流せば吸引力が加算されるように発生し、吸引力Ｆが増強される。それとは逆にプラス同士、マイナス同士の電位を与えると同時に互いに逆相の磁界が発生するようにそれぞれのコイルに流せば排斥力が加算されるように発生し排斥力−Ｆが増強される。
【００４０】
次に電動で力Ｆ、Ｆ’を与えるもう一つの実施例を図７に示す。これは図４で示した透明弾性体の周縁部にリング状の電気コイル（駆動コイル）を固着し、一定の磁場の中に置いて電流を与えることにより外力をくわえる方法（ムービングコイル型と称する）である。
図７（ａ），（ｂ），（ｃ）はその透明弾性体の周縁部Ｃ部を透明基体側に固着せず新たに設けたスライダに固着させ、スライダに力Ｆ’を与える方法である。
ここで５０１は透明基体で、図３の２０１に対応し、５０３は透明液体で図３の２０３に対応させてあり、５０２は透明弾性体で、図３の２０２に対応し、５０２−ａ、５０２−ｃもそれぞれ２０２−ａ、２０２−ｃに対応させて示している。また、５０６は突起部で図４の２０６と対応する。５３３はスライダで透明弾性体５０２の周辺部分Ｃで固着してある。５３２は電気的に駆動する駆動コイルでスライダ５３３と５３４で固着してある。５３１は永久磁石であり、断面がコの字型で全体がリング状にしてある。コの字の各先端がＮ極、Ｓ極になるように励磁してあり、このコの字状の内側にスライダ５３３と駆動コイル５３２が入り込むように装着してある。また、コの字の外縁は透明基体５０１の突起部５０６と相対するように構成し、その対応面５３５は固着して一体化してある。更に、その一体化した内縁はスライダ５３３と摺動するようにしてある。
【００４１】
図７（ａ）は透明弾性体５０２が状態１の状態を示しており、駆動コイル５３２が永久磁石５３１のコの字部の先端部に少し食み出している。図７（ｂ）は透明弾性体５０２が状態２の状態を図示しており、駆動コイルが永久磁石５３１のコの字部の奥に入っている。透明液体５０３の容積は図７（ａ）と変化無いことは言うまでも無い。図７（ｃ）には永久磁石５３１と駆動コイル５３２、スライダ５３３の関係のみを斜視図で示した。
この様な構成で、コイル５３２に正の電流を供給すると透明弾性体５０２の周縁部Ｃ部に力Ｆ’を与えることができ、状態１から状態２へ変化させられる。負の電流を供給すると周縁部Ｃ部には−Ｆ’の力が働くので状態２から状態１へと変化させることができる。
【００４２】
図７（ａ），（ｂ）に示した構成は使用を重ねるうちに密閉度が落ちて液漏れをする可能性がある。そこで図４（ｃ）に示したように密閉する構成をとり、前述のような電磁コイルで駆動する方法を複焦点レンズ５６０とした例を図８（ａ）に示す。図８（ａ）は、図４に示した透明弾性体のＡ部とＢ部とを分け、Ａ部の周縁部ｚにリブを突起させてそのリブに駆動コイルを装着し、駆動力Ｆ’を発生させるものである。詳しく説明すると、透明弾性体５０２の周縁には断面がＬ字状のリブ５１２がＡ部の延長として形成してあり、Ｂ部に対応する部分は断面がＳ字状のリングをＡ部と別部材の剛弾性体５０４で形成してあり、両者を、５０８部で固着している。その剛弾性体５０４の周縁部（図４に示すＣ部）は透明基体５０１とスペーサ５０７で挟み込んであるので透明基体５０１、透明剛性体５０２、リブ５１２によって完全に密閉され、透明液体５０３は外部に漏れ出すことはない。また、リブ５１２には複焦点レンズ５００で示した駆動コイル５３２と同じ駆動コイルを固着させてある。駆動部の永久磁石の構造は５００と同構造である（但し、両極の端面は違えてある）。
【００４３】
この図８（ａ）では、図７（ａ）と図７（ｂ）に分けて別々に示してある状態を一つの図で示している。即ち、駆動コイルへ電流を供給して透明弾性体が動作する状態は複焦点レンズ５００と全く同じで、状態１が断面をハッチンで示している５０２−ａの状態であり、状態２は二点鎖線で示している５０２−ｃの状態である。
【００４４】
図８（ｂ）には同じ目的で、Ｂ部に剛弾性体の代わりにゴム状の軟弾性体を用いた場合を示す。透明弾性体５０２の周縁はリブ５２２のように形成してあり、断面がＬ字状の押えリング５２３とで軟弾性体５１４を挟み込み５０８部および５０９部で固着している。また、軟弾性体５１４の周辺部（図４に示すＣ部）は透明基体５０１とスペーサ５０７で挟み込んであるので透明基体５０１、透明剛性体５０２、剛弾性体５０４によって完全に密閉され、透明液体５０３は外部に漏れ出すことはない。Ｌ字状リング５２３には駆動コイル５３２が固着してある。また、この図８（ｂ）でも図７（ａ）と図７（ｂ）に分けて別々に示してある状態を一つの図で示している。
この様な構成で、コイル５３２に正の電流を供給すると透明弾性体５０２のＡ部の周縁部に力Ｆ’を与えることができ、状態１から状態２へ変化させられる。負の電流を供給すると透明弾性体５０２のＡ部の周縁部には−Ｆ’の力が働くので状態２から状態１へと変化させることができる。
なお、この図７，図８では透明弾性体の縁に電磁コイルを固着させ永久磁石の磁場の中でその電磁コイルへ電流をオン、オフさせたが、逆に透明弾性体の縁には永久磁石、あるいは、軟鋼（α鉄）のリングを固着させ、コの字形永久磁石の代わりに電磁石を備え、その電磁石への電流をオン、オフさせることで透明弾性体の周縁部に力Ｆ’を与えることができる。
【００４５】
＜コイル駆動実施例＞
次に電気制御により状態１と状態２を切り替える方法をムービングコイル型により具体的に説明する。
図９は駆動コイル５３２を駆動する装置の一例を示す。図９（ａ）において、ＳＷ１は自動と、手動とを切り替えるスイッチであり、スイッチＳＷ２からの信号（手動）か、発信器ＯＳＣからの信号（自動）かどちらかを選ぶ。電位変化検出器ＣＤは入力Ｉの電位の変化を一定時間（ｔｄ）遅らせる遅延器ＤＬＹと２個のインバータＩＮＶ１、ＩＮＶ２と２個のアンドゲートＡＮＤ１、ＡＮＤ２とで構成してある。これは入力Ｉがロー（Ｌ）からハイ（Ｈ）に変化した時に出力IIIから時間幅ｔｄのパルスが出力され、ハイ（Ｈ）からロー（Ｌ）に変化した時に出力IVから時間幅ｔｄのパルスが出力される。ＡＭＰは駆動コイルＣＯＩＬ（５３２）を駆動する増幅器であり、この出力段は補完型ＦＥＴで構成してあるので、ＡＭ１とＡＭ２の両者が共にロー（Ｌ）あるいはハイ（Ｈ）の時はＣＯＩＬに全く電流は流れず、ＡＭ１がハイ（Ｈ）、ＡＭ２がロー（Ｌ）の時、正の電流が、ＡＭ１がロー（Ｌ）、ＡＭ２がハイ（Ｈ）の時、負の電流がＣＯＩＬに流れる。ＳＷ２は手動で入力Ｉに変位信号を与えるスイッチで、オンからオフにしたとき、ロー（Ｌ）からハイ（Ｈ）に変位し、オフからオンにしたときにハイ（Ｈ）からロー（Ｌ）に変位させる。発信器ＯＳＣは周波数Ｆの矩形波を発信する発信器で自動的に繰り返し変位信号を入力Ｉに与える。
【００４６】
図９（ｂ）のタイムチャート，ローマ数字は、図９（ａ）中に示したローマ数字に対応した端子部の波形を示す。ただし、Ｖは駆動コイルＣＯＩＬ（５３２）に流れる電流の波形であり、VIは透明剛弾性体５０２の位置（従って複合レンズの焦点距離の変化）を示していて、ｓ１の位置が状態１でｓ２の位置が状態２である。
ここで、最初は自動モードを説明する。切り替えスイッチＳＷ１が図９（ａ）に示すようにｂ側にあると、矩形波発信器ＯＳＣからの信号がＣＤの入力Ｉに供給されるが、以降の動作を図７（ｂ）のタイムチャートを用いながら説明する。ＯＳＣの発信波形はＩのように一定周期Ｔ＝１／Ｆでハイ（Ｈ）とロー（Ｌ）を交番する矩形波である。ＤＬＹはそのＩの波形をIIのように遅延時間ｔｄ遅らせる。アンドゲートＡＮＤ１はIIの波形をインバータＩＮＶ１で変転させた波形とＩの波形とのアンドをとるので、その出力はIIIのように、Ｉの立ち上がりからIIの立ち上がるまでの遅延時間ｔｄの間がハイ（Ｈ）になる。アンドゲートＡＮＤ２ではＩの波形をＩＮＶ２で反転させた波形とIIの波形とのアンドをとるので、その出力はIVのようにＩの立下りからIIの立下りの遅延時間ｔｄの間がハイ（Ｈ）になる。それぞれの出力は増幅器ＡＭ１、ＡＭ２に渡されてＶに示す波形でＣＯＩＬ（駆動コイル５３２）に電流を供給する。即ち、IIIがハイ（Ｈ）の時にはＡＭ２がロー（Ｌ）のままでＡＭＰ１がハイ（Ｈ）となるのでＣＯＩＬには正の電流（矢印の方向）が供給され、IVがハイ（Ｈ）の時には既にＡＭＰ１がロー（Ｌ）となっており、ＡＭＰ２がハイ（Ｈ）となるのでＣＯＩＬには負に電流（矢印と逆の方向）が供給される。
【００４７】
この時、図７（図８）の複焦点レンズ５００（５６０、５７０）では駆動コイル５３２（ＣＯＩＬ）に矢印の方向に電流が供給されると、磁石５３１の断面がコの字形の奥に引き込まれるので、透明弾性体は（ａ）の状態から（ｂ）の状態を経由して（ｃ）の状態に変化し、状態１（凸レンズ状態：焦点距離ｆ１）から、状態２（レンズ効果なし状態：焦点距離ｆ２）に変化する。この時、遅延時間ｔｄは透明弾性体が（ａ）から（ｂ）を通過するまでの時間を越えるようにしてあればよい。
この状態から、駆動コイル５３２（ＣＯＩＬ）に矢印と逆の方向に電流が供給されると磁石５３１の断面がコの字形の奥から押し出されるので、透明弾性体は（ｃ）の状態から（ｂ）の状態を経由して（ａ）の状態へ変化し、状態２（レンズ効果なし状態：焦点距離ｆ２）から状態１（凸レンズ状態：焦点距離ｆ１）へと変化する。このとき遅延時間ｔｄは透明弾性体が（ｃ）から（ｂ）を通過するまでの時間を越えるようにしてあればよい。
このように複焦点レンズ５００（５６０、５７０）は凸レンズとレンズ効果なしの状態を周期Ｔ＝１／Ｆで繰り返すことができるので、遠視あるいは老眼の利用者がこのレンズを装着した眼鏡を用いれば、その利用者の網膜には遠くの景色は凸レンズ状態の時間帯でボケているものの、レンズ効果なし状態の時間帯で明瞭に結像しており、手元の事物の像はレンズ効果なし状態での時間帯でボケているものの、凸レンズ状態の時間帯で明瞭に結像している。即ち、利用者は途中何の操作をしなくても、遠くの景色を観た直後に手元の何かを観ても対象物をはっきりと観ることができるし、その逆に手元のものを観察したままの状態から遠くを観てもはっきりした景色を観ることができる。
【００４８】
次に、切り替えスイッチＳＷ１をａ側に切り替えて手動にしたときは、スイッチＳＷ２をオンからオフにしると、その瞬間だけＣＤの出力IIIから時間幅ｔｄのパルスが発せられ、スイッチＳＷ２をオフからオンになると、その瞬間だけＣＤの出力IVから時間幅ｔｄのパルスが発せられる。その後の動作は前述の自動のときと同じなので、詳細説明は省略する。
このように複焦点レンズ５００（５６０、５７０）は、手動で凸レンズ状態にしたり、レンズ効果なし状態にしたりすることができるので、観察対象に応じて適切な焦点距離のレンズを得ることができる。
【００４９】
＜複焦点眼鏡の実施例＞
これまで説明してきた複焦点レンズを２つ用いると、遠近両用の眼鏡やルーペを構成することができる。
図１０は複焦点レンズを用いたヘッドマウント型のルーペへの実施例である。
図１０（ａ）は図８に示す複焦点レンズ５６０（図７に示す５００あるいは図８に示す５７０でもよい）を二つ用いてヘッドマウント型のルーペ１０００として構成した外観図である。二つの複焦点レンズ５６０はブリッジ１１０で連結してあり、スリーブ１２０とも固着してある。二つのスリーブ１２０は支持軸（図示せず）で連結してあり、支持体１４０がその支持軸を受けて支持しており、ルーペ装着者が複焦点レンズ５６０を矢印Ｊのように動かすと、矢印Ｒのように回転するように構成してある。支持体１４０の内部には電磁コイルを駆動する電気回路も電源である電池と共に収納してあり、そのコイル駆動アンプの出力は複焦点レンズ５６０の駆動コイル５３２とは（柔軟な樹脂などで構成した）電線保護パイプ１３０内を通したリード線で結んである。また、自動と半自動の切り替えスイッチが取り付けてあり、そのノブ１４５が矢印Ｋのようにスライドするようにしてある。
【００５０】
また、姿勢検知スイッチ１６０（この図では図示せず）が収納箱１７５内に取り付けてある。ボディ１７０は支持体１４０と一体化してあり、バンド１８０を矢印Ｂの方向に出し入れできるようにして長さを調整できるように固定してある。そのバンド１８０はバネ性を持たせて有り、頭部に装着したときに頭部を圧迫する僅かな圧力で電源が入るようにした電源スイッチ１８５が取り付けてある。
こうしたヘッドマウントルーペの利用者はボディ１７０を額に当て、バンド１８０を鉢巻状に自分の頭に巻きつけると、二つの複焦点レンズ５６０が左右の眼の前に来る（このとき利用者は別の眼鏡を装着していてもその眼鏡と複焦点レンズ５６０はレンズ面を重ねた形で利用可能である）。また、この装着で電源スイッチ１８５がオンになる。
【００５１】
ここで姿勢検知スイッチ１６０の構造を図１０（ｂ）で説明する。
金属製の湾曲したパイプ１６１内に金属球１６４がパイプ内を自由に転がるように入れてある。パイプの両端にはやはり金属製の端子１６２と１６３が絶縁カバー１６５と１６６で支えられている。図のように左側が上がり金属球１６４が右端にあるとき、この状態を水平状態とよび、金属製の端子１６２に金属球１６４が接触するので金属パイプ１６１と端子１６２とを短絡させている。次に全体を角度θあるいはそれ以上傾けると、相対的に左端が下がり、金属球１６４はパイプ１６１内を転がって左端に移り、端子１６３と接触するので、金属パイプ１６１と端子１６３とを短絡させる。
言い換えると水平状態になったとき端子１６２とパイプ１６１がオンする電気的スイッチとなり、スイッチ装置全体が角度θ以上傾くと端子１６３とパイプ１６１がオンする電気的スイッチとなる。
この角度θはルーペの装着者が手元の作業をするために俯き加減になっている時の頭部の傾き角と、遠くを見ようとして正面を向いた時の頭部の傾き角との差の角度より小さくしてあり、作業中は端子１６２とパイプ１６１が、遠くを見ようとした時には端子１６３とパイプ１６１が短絡するようにスイッチ１６０を収納箱１７５の中に取り付けてある。
【００５２】
図１０（ｃ）はこのヘッドマウントルーペの駆動コイル５３１を駆動する電気回路の一例を示す。図９の説明と重複するところの詳細説明は省略する。図１０（ｃ）中、姿勢検出器ＳＡは装着者の頭の姿勢を検出して半自動で一定時間（ｔｄ）ハイ（Ｈ）となるパルスを発生させる。ＳＷ４は姿勢検知スイッチ１６０でパイプ１６１がｎ端子に、端子１６２がａ端子に、更に端子１６３が端子ｂに対応するように構成してある。ＦＦはナンドゲートを二つ組み合わせたフリップフロップである。ＭＭ１、ＭＭ２はモノマルチバイブレータで入力がハイ（Ｈ）からロー（Ｌ）に変位すると一定時間（ｔｄ）ハイ（Ｈ）となるパルスを出力する。ＳＡ全体の動作としてはＳＷ４がａ端子からｂ端子に切り替わると出力III’から、ｂ端子からａ端子に切り替わると出力IV’から、パルスが出力される。スイッチＳＷ３はＯＳＣが発生させるパルス列をＣＤに通すかどうかのスイッチで、スイッチＳＷ３がオフとなり開かれるとゲートＧＡＴＥが閉じて、ＯＳＣのパルス列をＣＤには入力させない。ＳＷ３がオンとなり、閉じられるとゲートＧＡＴＥが開き、ＯＳＣから発せられる矩形波のパルス列がＣＤの入力Ｉに入力され図９（ａ）と同じようにハイ（Ｈ）からロー（Ｌ）に変化した時に出力IIIからパルス（パルス幅ｔｄ）が出力され、ロー（Ｌ）からハイ（Ｈ）に変位した時に出力IVから時間幅ｔｄのパルスが出力される。オアゲートＯＲ１はIII’とIIIの出力のどちらの信号も、ＯＲ２はIV’とIVの出力のどちらの信号もそのまま通してＡＭＰ１、ＡＭＰ２に渡す。
【００５３】
その後は、図９（ａ）と同様にＣＯＩＬ１（駆動コイル５３２−１）、ＣＯＩＬ２（駆動コイル５３２−２）を駆動する。尚、駆動コイル５３２−１、５３２−２は複焦点レンズ５６０単体の５３２を眼鏡の左右二つに対応させて表現している。これらの動作は図９（ｂ）のタイムチャートに示した内容と全く一致する。（尚、この図では電源、及び、電源スイッチ１８５は省略してある。）
ここで、発信器ＯＳＣの周波数は数Ｈｚ以上であれば対象物を連続的に観察できるが、２０Ｈｚ程までは二つの状態が変化しているのを利用者に察知されてしまう。それ以上ならば、利用者は二つの状態の変化を意識することなく利用できる。映画はフレームレートが２４Ｈｚであるのでそれ以上なら効果的であるが、テレビのフレームレートは３０Ｈｚなのでそれらとは一致させないほうがよい。ここではその中間の約２７Ｈｚ（Ｔ≒３７ｍ秒）にして説明する。
【００５４】
＜ヘッドマウント型ルーペ装着時の動作説明＞
こうした構成のヘッドマウントルーペ１０００を利用者（老眼になっていて、景色をみたり、テレビをみたりする時は眼鏡を必要としないが、本や新聞を読んだり、手元で何か作業をしたりする時には眼鏡やルーペを用いなければならないような者）が頭に装着して実際に使用する場面を通じてルーペの動作を半自動モードと全自動モードについて説明をする。
居間などでテレビを見ながら新聞を読むような場合は半自動モードがよい。
利用者がルーペを頭に装着すると電源スイッチ１８５が入り電気回路１５０が動作可能な状態になる。利用者は複焦点レンズ５６０が眼前に来るようにＪの向きを調整したら、スイッチノブ１４５を操作して、ＳＷ３をオフにする（半自動モードにする）。そうするとＯＳＣから発信されるパルス列はゲートＧＡＴＥで阻止されてＣＤの出力III、出力IVからはパルスは一切出力されない。
【００５５】
新聞を読む時は少し俯き加減になるのでスイッチ１６０は端子１６２とパイプ１６１は金属球１６４を介して短絡する。即ちＳＷ４はａ端子側になるのでＳＡの出力IV’から時間幅ｔｄのパルスが発せられてＡＭ１−１とＡＭ１−２はロー（Ｌ）のままＡＭ２−１とＡＭ２−２の出力がハイ（Ｈ）となり、ＣＯＩＬ１（駆動コイル５３２−１）とＣＯＩＬ２（駆動コイル５３２−２）には矢印とは反対向きの電流が供給され、レンズ本体５６０の透明弾性体５０２は状態１の状態となり、凸レンズとなるので新聞紙面の文字をはっきり見ることができる。その途中で、あるいは読み終えてテレビの画面を見ようとすると、利用者は頭を上げて画面を見るためスイッチ１６０が端子１６３とパイプ１６１は金属球１６４を介して短絡する。即ちＳＷ４はａ端子側からｂ端子側に切り替わるのでＳＡの出力III’から時間幅ｔｄのパルスが発せられてＡＭ２−１、ＡＭ２−２はロー（Ｌ）のままＡＭ１−１とＡＭ１−２の出力がハイ（Ｈ）となり、ＣＯＩＬ１（駆動コイル５３２−１）とＣＯＩＬ２（駆動コイル５３２−２）には矢印の向きに電流が供給され、レンズ本体５６０の透明弾性体５０２は状態１から状態２に変わり、レンズ効果はなくなるのでテレビ画面をはっきり見ることができる。
【００５６】
手元（眼から２０〜３０ｃｍ離れたところ）で細かな作業をしていながら、少し離れた場所（５０〜６０ｃｍほど離れたところ）の物を取ったり、操作したりする場合は頻繁に近いところと遠いところの対象物を交互に見る必要が生じ、また、近いところと遠いところを見る時の頭部の傾く角度が小さいので自動モードが良い。
利用者がルーペを頭に装着すると電源スイッチ１８５が入り電気回路１５０が動作可能な状態になる。利用者は複焦点レンズ５６０が眼前に来るようにＪの向きを調整したら、スイッチノブ１４５を操作して、ＳＷ３をオンにする（自動モードにする）。そうするとゲートＧＡＴＥが開かれ、ＯＳＣから発信されるパルス列はＩからＣＤに入力され、出力IIIとIVから図９（ｂ）のタイムチャートに示すように時間幅ｔｄのパルス列が出力される。同時にタイムチャートに示すようにＣＯＩＬ１（駆動コイル５３２−１）、ＣＯＩＬ２（駆動コイル５３２−２）が動作するので、透明弾性体は状態１（ｓ１）と状態２（ｓ２）を交互に取る繰り返し動作をする。このとき、利用者は手元を見ている時は状態２（ｓ２）のレンズ効果なしのタイミングでは対象物のボケた像になっているが、状態１（ｓ１）の凸レンズ状態のタイミングで対象物の像をはっきり見ることができる（人の眼はボケた像は無視してハッキリしている像のみを意識している）。
【００５７】
即ち、約半分の時間は対象物の像を明確に捕らえ事ができるので作業をするのに支障がなくなる。その途中で少し離れた所の物を取ろうとして、そこに眼を向けると、状態１（ｓ１）の凸レンズ状態のタイミングでは対象物の像がボケた像になってしまうが、状態２（ｓ２）のレンズ効果なしのタイミングでは対象物をはっきり見ることができる。やはり、約半分の時間は対象物の像を明確に捕らえる事ができるので、物を取ろうとして支障がなく物を取ることができる。このように利用者はルーペのレンズ部を上げたり下げたり手を煩わせることなく手元と少し離れた場所の両者をはっきりした像で見ることができ、作業の効率も上がる。
【００５８】
このように半自動で用いる時は焦点距離を切り替える機会が少ないので駆動コイルへ流す電流も少なくなり電池の消耗を抑えられ、自動で用いる時は注視対象物の配置範囲が狭く、頭の変位が少ない場合でもいずれの対象物をもはっきり見ることができる。
これまで、汎用のルーペに複焦点レンズを組み込んだ実施例を示したが、個人個人の眼の特性に合致した眼鏡を作って着用することにより日常の生活レベルでも快適に過ごすことができる。即ち、図５に示したような複焦点レンズのバリエーションから、それぞれの眼の特性に適したレンズを選択して眼鏡を作ればよい。このようにすれば、必ずしも老眼だけの対応でなく、近視や遠視の矯正用にも用いることが可能である。
【００５９】
勿論、この様な複焦点レンズを用いてルーペや眼鏡を作ることにより、若い時期に近視であった人が老いて老眼となった使用者や、若い時期に遠視であった人が老眼になった使用者が手元を見る場合と比較的遠くを見る場合でも一つのルーペあるいは眼鏡で対応可能となる。また、乱視の人のためには透明基体に乱視対応の光学的処置（既に公知となっている技術で、乱視の特性の逆関数となるようにする）をすることによりその人が老眼になった場合でも、使用者が手元を見る場合と比較的遠くを見る場合でも一つのルーペあるいは眼鏡で対応可能となる。
【符号の説明】
【００６０】
１００…剛弾性体の皿状円板、２００，３００，５００，５６０…複焦点レンズ、２０１，３０１，３１１，３１１，４０１，５０１…透明基体、３０２，５０２…透明弾性体、２０３，３０３，５０３…透明液体、３１０，３２０，３３０，３４０…複焦点レンズ、４０７，４０８，４０９…透明電極、５０４…剛弾性体、５０７…スペーサ、５１２，５２２…リブ、５３１…永久磁石、５３２…電磁コイル、１０００…ヘッドマウントルーペ。
【図１】
2010095571.tif 000004
【図２】
2010095571.tif 000005
【図３】
2010095571.tif 000006
【図４】
2010095571.tif 000007
【図５】
2010095571.tif 000008
【図６】
2010095571.tif 000009
【図７】
2010095571.tif 000010
【図８】
2010095571.tif 000011
【図９】
2010095571.tif 000012
【図１０】
2010095571.tif 000013
【図１１】
2010095571.tif 000014
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
透明で剛性を有する透明基体と、
透明で弾性を有する透明弾性体と、
前記透明基体と透明弾性体との間に封入した透明流動体と、
前記透明弾性体の形態変化を誘引させる制御機構とを備えている複焦点レンズにおいて、
前記透明弾性体は剛性を併せ持つ透明剛弾性体であって凹状態または凸状態に形成された形状部分を有し、
前記制御機構は前記形状部分を凸状態または凹状態に反転変化させる駆動機構であることを特徴とする複焦点レンズ。
【請求項２】
透明で剛性を有する透明基体と、
透明で弾性を有する透明弾性体と、
前記透明基体と透明弾性体との間に封入した透明流動体と、
前記透明弾性体の形態変化を誘引させる制御機構とを備えている複焦点レンズにおいて、
前記透明弾性体は剛性を併せ持つ透明剛弾性体であって凹状態または凸状態に形成された形状部分を有し、
前記制御機構は前記形状部分を周期的に凸状態または凹状態に交互反転変化させるものであることを特徴とする複焦点レンズ。
【請求項３】
請求項１あるいは請求項２のいずれか一項に記載の複焦点レンズを備えることを特徴とする複焦点眼鏡。
【手続補正２】
【補正対象書類名】明細書
【補正対象項目名】０００２
【補正方法】変更
【補正の内容】
【０００２】
とし、片側を透明軟弾性幕で封入して軟弾性幕の変形で焦点距離を変化させるもの（例えば、特許文献３参照）などが提案されている。
［０００５］
しかしながら、特許文献１あるいは特許文献２のような構成だと、透明軟弾性体に圧力をかけてレンズ化しようとするもので、設計したとおりのレンズ特性（正確なレンズ特性）が得難い。また、両面とも軟弾性体なので、眼鏡として用いようとした場合、指で触れた場合や物体が飛んできた場合に変形してしまったり、破損したりする可能性が多くなるので、少なくとも外界と接する方の面はガラスやプラスチックなどによる保護用のフードで覆うことが必要となる。その後者の課題を解決したのが、特許文献３であるが、軟弾性体のレンズ形状の制御が難しく所望のレンズ特性が得難いのは同じである。
先行技術文献
特許文献
［０００６］
特許文献１：特開２００１−２４９２０２号公報
特許文献２：特開２００３−１４９０９号公報
特許文献３：特開２００６−１０６４８８号公報
発明の概要
発明が解決しようとする課題
［０００７］
一つには外部からの飛来物が当っても簡単に傷が付かない構造とすることであり、二つには構造が簡単で安定した焦点距離を得る複焦点レンズを得ることである。
課題を解決するための手段
［０００８］
請求項１に記載の発明は、透明で剛性を有する透明基体と、透明で弾性を有する透明弾性体と、前記透明基体と透明弾性体との間に封入した透明流動体と、前記透明弾性体の形態変化を誘引させる制御機構とを備えている複焦点レンズにおいて、前記透明弾性体は剛性を併せ持つ透明剛弾性体であって凹状態または凸状態に形成された形状部分を有し、前記制御機構は前記形状部分を凸状態または凹状態に反転変化させる駆動機構であることを特徴とする複焦点レンズであり、
【手続補正３】
【補正対象書類名】明細書
【補正対象項目名】０００３
【補正方法】変更
【補正の内容】
【０００３】
請求項２に記載の発明は、透明で剛性を有する透明基体と、透明で弾性を有する透明弾性体と、前記透明基体と透明弾性体との間に封入した透明流動体と、前記透明弾性体の形態変化を誘引させる制御機構とを備えている複焦点レンズにおいて、前記透明弾性体は剛性を併せ持つ透明剛弾性体であって凹状態または凸状態に形成された形状部分を有し、前記制御機構は前記形状部分を周期的に凸状態または凹状態に交互反転変化させるものであることを特徴とする複焦点レンズであり、
請求項３に記載の発明は、請求項１あるいは請求項２に記載の複焦点レンズを用いた複焦点眼鏡である。
発明の効果
［０００９］
請求項１に記載の発明によれば、透明剛弾性体の形態の変化を誘引させて、透明基体と透明剛弾性体との間に封入した透明流動体で構成するレンズの２様の形態を所定の形状に形成しようとするもので、２様のいずれの形態においても、所望の特性（正確な光学特性）を得ることができる。
［００１０］
請求項２に記載の発明によれば、透明基体と透明剛弾性体との間に封入した透明流動体で構成するレンズにおいて、透明剛弾性体の形態を周期的に変化させて得られる２様のレンズ形態のいずれにおいても所望の特性（正確な光学特性）を得ることができる。
［００１１］
請求項３に記載の発明によれば、請求項１あるいは請求項２のいずれかの複焦点レンズを用いて眼鏡としたもので、視野角の広い正確なレンズ特性によるレンズを用いているため、利用者は異なった位置の対象物を追いかけて凝視するような場合でも、利用者が疲労することなく、利用できる複焦点眼鏡とすることができる。
図面の簡単な説明
［００１２］
［図１］本発明の一つの構成要件である透明剛弾性体の動作原理を説明するための図である。
［図２］図１で示した皿状円板の中心部の断面を真横から示した図、及び、力Ｆを加えていった場合の中央部の上下方向の変移を概念として示した図である。
［図３］剛弾性体のうちで透明な弾性体を用いて構成した複焦点レンズの基本的な考え方を説明する図である。
［図４］周縁部での液漏れの対処をする透明弾性体の中央での断面図である。
【国際調査報告】
2010095571.tif 000015
2010095571.tif 000016
2010095571.tif 000017
2010095571.tif 000018